(57)【要約】  この発明は、ステップ（５）にゴミ等が付着した場合においても、より確実にステップ（５）のステップ軸（４）への固定の状態を目視確認できるエスカレーター（１）のステップ（５）を提供することを目的とする。ステップ（５）は、踏み板（８）と、口金（１２）と、持上げ部（２１）と、を備える。踏み板（８）は、運転時に利用者（Ｐ）が乗込む平面を有する。口金（１２）は、踏み板（８）の下方に設けられ、踏み板（８）をステップ軸（４）に固定する。口金（１２）の内面（１６）は、ステップ軸（４）に対向する。持上げ部（２１）は、踏み板（８）がステップ軸（４）に固定されている場合に内面（１６）から突出しない。持上げ部（２１）は、踏み板（８）がステップ軸（４）に固定されていない場合に内面（１６）から自由端（２４）が突出することでステップ軸（４）から踏み板（８）を持上げて傾ける。
2019159312.tif 000002
【特許請求の範囲】
【請求項１】
エスカレーターの運転時に利用者が乗込む平面を有する踏み板と、
前記踏み板の下方に設けられ、前記踏み板をステップ軸に固定する固定部と、
前記踏み板が前記ステップ軸に固定されている場合に前記固定部の前記ステップ軸に対向する内面から突出せず、前記踏み板が前記ステップ軸に固定されていない場合に前記内面から一部が突出することで前記ステップ軸から前記踏み板を持上げて傾ける持上げ部と、
を備えるエスカレーターのステップ。
【請求項２】
前記踏み板が前記ステップ軸に固定されていない場合に前記内面から前記持上げ部の一部を弾性力により突出させる持上げバネ
を備える請求項１に記載のエスカレーターのステップ。
【請求項３】
前記持上げ部は、弾性材料からなる請求項１に記載のエスカレーターのステップ。
【請求項４】
前記持上げ部は、前記踏み板が前記ステップ軸に固定されている場合に前記ステップ軸の表面に沿って接触する接触面を有する請求項１から請求項３のいずれか一項に記載のエスカレーターのステップ。
【請求項５】
前記固定部は、前記ステップ軸に上方から対向する上部固定部を有し、
前記持上げ部は、前記上部固定部に設けられる請求項１から請求項４のいずれか一項に記載のエスカレーターのステップ。
【発明の詳細な説明】
【技術分野】
【０００１】
本発明は、エスカレーターのステップに関する。
【背景技術】
【０００２】
特許文献１にエスカレーターのステップの例が記載されている。ステップは、踏み板をステップ軸に固定する固定部を備える。固定部は、レバーとバネとを外側に備える。踏み板がステップ軸に固定されていない場合に、レバーは、バネの弾性力によりステップ軸から踏み板を持上げて傾ける。保守員は、踏み板の傾きによって、ステップのステップ軸への固定の状態を目視確認できる。
【先行技術文献】
【特許文献】
【０００３】
【特許文献１】日本特開平１０−１２０３５１号公報
【発明の概要】
【発明が解決しようとする課題】
【０００４】
しかしながら、特許文献１のステップのレバーおよびバネには、エスカレーターの利用者の靴底等から落下したゴミ等が付着しうる。ゴミ等が付着した場合に、レバーまたはバネは、ゴミ等を噛み込むことによって動かないときがある。このとき、踏み板がステップ軸に固定されていない場合でも、踏み板が持ち上がらない。【０００５】
本発明は、このような課題を解決するためになされた。本発明の目的は、ステップにゴミ等が付着した場合においても、より確実にステップのステップ軸への固定の状態を目視確認できるエスカレーターのステップを提供することである。
【課題を解決するための手段】
【０００６】
本発明に係るエスカレーターのステップは、エスカレーターの運転時に利用者が乗込む平面を有する踏み板と、踏み板の下方に設けられ踏み板をステップ軸に固定する固定部と、踏み板がステップ軸に固定されている場合に固定部のステップ軸に対向する内面から突出せず踏み板がステップ軸に固定されていない場合に内面から一部が突出することでステップ軸から踏み板を持上げて傾ける持上げ部と、を備える。
【発明の効果】
【０００７】
本発明によれば、ステップは、踏み板と、固定部と、持上げ部と、を備える。踏み板は、運転時に利用者が乗込む平面を有する。固定部は、踏み板の下方に設けられ、踏み板をステップ軸に固定する。固定部の内面は、ステップ軸に対向する。持上げ部は、踏み板がステップ軸に固定されている場合に内面から突出しない。持上げ部は、踏み板がステップ軸に固定されていない場合に内面から一部が突出することでステップ軸から踏み板を持上げて傾ける。これにより、ステップにゴミ等が付着した場合においても、保守員は、より確実にステップのステップ軸への固定状態を目視確認できる。
【図面の簡単な説明】
【０００８】
【図１】実施の形態１に係るステップを備えるエスカレーターの構成図である。
【図２】実施の形態１に係るステップの側面図である。
【図３】実施の形態１に係るステップの要部を拡大した斜視図である。
【図４】実施の形態１に係るステップの要部を拡大した側面図である。
【図５】実施の形態１に係るステップの側面図である。
【図６】実施の形態１の変形例に係るステップの要部を拡大した側面図である。
【図７】実施の形態２に係るステップの要部を拡大した側面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、本実施の形態に係るステップを備えるエスカレーターの構成図である。
図１において、エスカレーター１の左右方向は、紙面に垂直な向きである。図１において、エスカレーター１の前後方向は、紙面の左右方向である。
【００１１】
図１において、上部乗降口２ａは、エスカレーター１の上部に設けられる。下部乗降口２ｂは、エスカレーター１の下部に設けられる。
【００１２】
上部機械室３ａは、エスカレーター１の上部に設けられる。上部機械室３ａは、上部乗降口２ａの下方に設けられる。下部機械室３ｂは、エスカレーター１の下部に設けられる。下部機械室３ｂは、下部乗降口２ｂの下方に設けられる。
【００１３】
エスカレーター１は、複数のステップ軸４と、複数のステップ５と、一対の手すり６と、図示されない駆動装置と、制御盤７と、を備える。
【００１４】
複数のステップ軸４は、無端状に連結される。
【００１５】
複数のステップ５の各々は、複数のステップ軸４の各々に固定される。複数のステップ５は、無端状に配置される。複数のステップ５の各々は、踏み板８を備える。踏み板８は、エスカレーター１の運転時に利用者Ｐが乗り込む平面を有する。
【００１６】
一対の手すり６の一方は、複数のステップ５の左に設けられる。一対の手すり６の他方は、複数のステップ５の右に設けられる。一対の手すり６の各々は、無端状に形成される。
【００１７】
駆動装置は、上部機械室３ａに設けられる。
【００１８】
制御盤７は、上部機械室３ａに設けられる。
【００１９】
制御盤７は、駆動装置の動作を制御する。駆動装置は、上側を往路として複数のステップ軸４を循環移動させる。複数のステップ５の各々は、複数のステップ軸４の各々と同期して循環移動する。往路を移動する複数のステップ５は、エスカレーター１の一定傾斜部において、階段状に配置される。一対の手すり６は、複数のステップ５と同期して循環する。
【００２０】
エスカレーター１の上り運転時に、利用者Ｐは、ステップ５の踏み板８に一対の手すり６の一方を掴んで下部乗降口２ｂから乗る。利用者Ｐは、往路を移動するステップ５の踏み板８に乗って上部乗降口２ａに移動する。
【００２１】
エスカレーター１の下り運転時に、利用者Ｐは、ステップ５の踏み板８に一対の手すり６の一方を掴んで上部乗降口２ａから乗る。利用者Ｐは、往路を移動するステップ５の踏み板８に乗って下部乗降口２ｂに移動する。
【００２２】
続いて、図２および図３を用いて、ステップ５の構成を説明する。
図２は、本実施の形態に係るステップの側面図である。図３は、本実施の形態に係るステップの要部を拡大した斜視図である。
【００２３】
図２は、ステップ５がステップ軸４に固定されている状態を示す。
【００２４】
ステップ軸４は、一対の軸受９を備える。一対の軸受９の各々は、ステップ軸４の中心軸の周りに回転可能に設けられる。一対の軸受９の各々は、例えばナイロンブッシュである。一対の軸受９の一方は、ステップ軸４の左右方向の一側に配置される。一対の軸受９の他方は、ステップ軸４の左右方向の他側に配置される。
【００２５】
ステップ５は、ライザー１０と、一対のブラケット１１と、一対の口金１２と、を備える。
【００２６】
ライザー１０は、踏み板８の前後方向の一縁部から垂れ下がる。
【００２７】
一対のブラケット１１の一方は、踏み板８の一側とライザー１０の一側とを連結する。一対のブラケット１１の他方は、踏み板８の他側とライザー１０の他側とを連結する。
【００２８】
口金１２は、固定部の例である。一対の口金１２の一方は、一対のブラケット１１の一方の下部に設けられる。一対の口金１２の他方は、一対のブラケット１１の他方の下部に設けられる。一対の口金１２の各々は、踏み板８の前後方向のライザー１０の反対側で踏み板８の下方に配置される。
【００２９】
一対の口金１２の各々は、上部口金１３と、下部口金１４と、を備える。
【００３０】
上部口金１３は、上部固定部の例である。上部口金１３は、ブラケット１１に固定される。上部口金１３は、締結穴１５を有する。締結穴１５は、前後方向のライザー１０と反対側の端部を上方から下方に貫く。締結穴１５は雌ねじである。上部口金１３は、内面１６を有する。内面１６は、締結穴１５より後方に配置される。内面１６は、半円状に湾曲する。内面１６は、ステップ軸４の軸受９の外周に上方から対向する。
【００３１】
上部口金１３は、下部固定部の例である。下部口金１４は、ステップ５の左右方向を回転軸として回転可能に上部口金１３に連結される。下部口金１４は、上部口金１３の内面１６より後方で連結される。下部口金１４は、締結穴１７を有する。締結穴１７は、上部口金１３の締結穴１５と前後方向の同じ側の端部を上方から下方に貫く。締結穴１７は雌ねじである。下部口金１４は、内面１８を有する。内面１８は、上部口金１３に連結される部分と締結穴１７との間に配置される。内面１８は、半円状に湾曲する。内面１８は、ステップ軸４の軸受９の外周に下方から対向する。
【００３２】
一対の口金１２の各々は、下部口金１４が回転することで開閉するように構成される。一対の口金１２の各々は、ステップ軸４の軸受９の各々にボルト１９の締め付けによって固定される。
【００３３】
図３は、開いている状態の口金１２を示す。
【００３４】
上部口金１３は、内面１６に、開口２０を有する。
【００３５】
ステップ５は、一対の持上げ部２１と、一対のねじりバネ２２と、を備える。
【００３６】
一対の持上げ部２１の各々は、一対の口金１２の各々の上部口金１３に設けられる。持上げ部２１は、固定端２３と、自由端２４と、を有する。固定端２３および自由端２４は、持上げ部２１の一部である。
【００３７】
固定端２３は、開口２０から上部口金１３の内側に配置される。固定端２３は、内面１６から突出しない。固定端２３は、回転可能に設けられる。
【００３８】
自由端２４は、固定端２３の反対側の端部である。
【００３９】
一対の持上げ部２１の各々は、接触面２５を有する。接触面２５は、半円状に湾曲する。接触面２５の曲率は、ステップ軸４の軸受９の外側面の曲率と同じである。接触面２５は、開口２０に収まる形状である。
【００４０】
ねじりバネ２２は、持上げバネの例である。一対のねじりバネ２２の各々は、一対の持上げ部２１の各々の固定端２３に設けられる。ねじりバネ２２は、接触面２５より上部口金１３の側に配置される。ねじりバネ２２の一端は、持上げ部２１に固定される。ねじりバネ２２の他端は、上部口金１３に固定される。
【００４１】
口金１２がステップ軸４に固定されていない場合に、ねじりバネ２２は、持上げ部２１の自由端２４を、内面１６の開口２０から上部口金１３の外側に向かって弾性力により突出させる。
【００４２】
口金１２がステップ軸４に固定されている場合に、一対の持上げ部２１の各々は、ねじりバネ２２の弾性力に抗しながらステップ軸４の軸受９に押さえられる。この際、持上げ部２１の自由端２４は、内面１６から突出しない。接触面２５は、ステップ軸４の軸受９の外側面に沿って接触する。
【００４３】
続いて、図４および図５を用いて、ステップ５のステップ軸４への固定の状態を目視で確認する方法を説明する。
図４は、本実施の形態に係るステップの要部を拡大した側面図である。図５は、本実施の形態に係るステップの側面図である。
【００４４】
図４は、保守点検時のボルト１９の取付け忘れまたはゆるみ等によって口金１２がステップ軸４に固定されていない状態を示す。
【００４５】
この場合に、持上げ部２１の自由端２４は、ねじりバネ２２の弾性力により内面１６から突出する。持上げ部２１は、口金１２をステップ軸４から持上げる。ブラケット１１は、口金１２に追従して持上がる。踏み板８は、ブラケット１１に追従して持上がる。
【００４６】
この際、図５に示されるように、踏み板８は傾く。保守員は、踏み板８の傾きによって、ステップ５がステップ軸４へ固定されていないことを目視で確認する。
【００４７】
以上に説明したように、本実施の形態に係るエスカレーターのステップは、踏み板８と、口金１２と、持上げ部２１と、を備える。踏み板８は、エスカレーターの運転時に利用者Ｐが乗込む平面を有する。口金１２は、踏み板８の下方に設けられ、踏み板８をステップ軸４に固定する。口金１２の内面１６は、ステップ軸４に対向する。踏み板８がステップ軸４に固定されている場合に、持上げ部２１は、内面１６から突出しない。踏み板８がステップ軸４に固定されていない場合に、持上げ部２１は、内面１６から自由端２４が突出することでステップ軸４から踏み板８を持上げて傾ける。
【００４８】
ゴミ等は、エスカレーター１の運転時に、利用者Ｐの靴底などから落下する。ゴミ等は、ステップ５の外側に付着する。エスカレーター１の運転時に、口金１２は、固定されている。このとき、持上げ部２１は、内面１６から突出しない。このため、持上げ部２１は、外部に露出しない。持上げ部２１は、ステップ５の外側に付着したゴミ等が付着しない。ステップ５は、持上げ部２１が小石またはゴミ等を噛み込むことによって動かなくなることを防ぐ。保守点検時のボルト１９の取付け忘れまたはゆるみ等によって口金１２がステップ軸４に固定されていない場合に、持上げ部２１は、踏み板８を傾ける。これにより、ステップ５の外側にゴミ等が付着した場合においても、保守員は、より確実にステップ５のステップ軸４への固定の状態を目視で確認できる。
【００４９】
持上げ部２１は、口金１２の内部にある。このため、ステップ５を構成する部材をコンパクトにすることができる。ステップ５をステップ軸４から取り外して運搬または保管する場合に、持上げ部２１は邪魔にならない。
【００５０】
ステップ５は、口金１２の外部にレバーを備える必要がない。口金１２は、形状が単純になるので、製造のコストが抑えられる。
【００５１】
また、ステップ５は、ねじりバネ２２を備える。踏み板８がステップ軸４に固定されていない場合に、ねじりバネ２２は、口金１２のステップ軸４に対向する内面１６から持上げ部２１の自由端２４を弾性力により突出させる。持上げ部２１は、簡易な構造で踏み板８を持上げることができる。
【００５２】
また、持上げ部２１は、接触面２５を有する。踏み板８がステップ軸４に固定されている場合に、接触面２５は、ステップ軸４の表面に沿って接触する。ステップ５は、接触面２５とステップ軸４との間に隙間が生じることを防ぐ。ステップ５は、接触面２５とステップ軸４との間の隙間からゴミ等が入り込むことを防ぐ。これにより、ステップ５は、保守員によるステップ５のステップ軸４への固定の状態の目視確認をより確実にできる。
【００５３】
また、口金１２は、ステップ軸４に上方から対向する上部口金１３を有する。持上げ部２１は、上部口金１３に設けられる。これにより、下部口金１４が破損等によって脱落した場合においても、ステップ５は、ステップ軸４から踏み板８を持上げて傾けることができる。
【００５４】
また、一対の持上げ部２１は、一対の口金１２の各々に設けられる。ステップ５は、ねじりバネ２２の１つ当たりの負荷を低減できる。持上げ部２１は、より簡易な構造で踏み板８を持上げることができる。
【００５５】
なお、持上げ部２１は、一対の口金１２のいずれか一方のみに設けられてもよい。踏み板８がステップ軸４に固定されていない場合に、持上げ部２１は、踏み板８の一側のみを持上げる。ステップ５は、前後方向および左右方向に傾く。踏み板８が固定されていないステップ５は踏み板８が非対称に傾くので、保守員は、踏み板８が固定されているステップとの差を確認しやすい。
【００５６】
持上げバネは、板バネ、ぜんまいバネまたはコイルバネ等であってもよい。
【００５７】
続いて、図６を用いて実施の形態１の変形例を説明する。
図６は、本実施の形態の変形例に係るステップの要部を拡大した側面図である。
【００５８】
一対の軸受９の各々は、締結穴２６を有する。締結穴２６は雌ねじである。
【００５９】
一対の口金１２の各々は、上部口金１３を備える。
【００６０】
上部口金１３は、ブラケット１１に固定される。上部口金１３は、締結穴１５を有する。締結穴１５は、前後方向のライザー１０と反対側の端部を上方から下方に貫く。締結穴１５は雌ねじである。上部口金１３は、内面１６を有する。内面１６は、締結穴１５より後方に配置される。内面１６は、半円状に湾曲する。内面１６は、ステップ軸４の軸受９の外周に上方から対向する。
【００６１】
一対の口金１２の各々は、ステップ軸４の一対の軸受９の各々に締結穴１５および締結穴２６のボルト１９の締め付けによって固定される。
【００６２】
持上げ部２１は、上部口金１３に設けられる。これにより、本変形例のように下部口金を備えない口金１２においても、ステップ５は、ステップ軸４から踏み板８を持上げて傾けることができる。
【００６３】
実施の形態２．
本実施の形態では、実施の形態１で開示された例と相違する点について詳しく説明する。本実施の形態で説明しない特徴については、実施の形態１で開示された例のいずれの特徴が採用されてもよい。
【００６４】
図７を用いて、ステップ５の構成を説明する。
図７は、本実施の形態に係るステップの要部を拡大した側面図である。
【００６５】
持上げ部２１は、板バネである。板バネは、弾性を有する鋼板を曲げて形成される。鋼板は、弾性材料の例である。
【００６６】
一対の持上げ部２１の各々は、一対の口金１２の各々の上部口金１３に設けられる。持上げ部２１は、固定端２３と、自由端２４と、を有する。固定端２３および自由端２４は、持上げ部２１の一部である。
【００６７】
固定端２３は、開口２０から上部口金１３の内側に配置される。固定端２３は、内面１６から突出しない。固定端２３は、回転可能に設けられる。
【００６８】
自由端２４は、固定端２３の反対側の端部である。
【００６９】
口金１２がステップ軸４に固定されていない場合に、持上げ部２１の自由端２４は、内面１６の開口２０から上部口金１３の外側に向かって弾性力により突出する。
【００７０】
口金１２がステップ軸４に固定されている場合に、一対の持上げ部２１の各々は、自らの弾性力に抗しながらステップ軸４の軸受９に押さえられる。持上げ部２１の自由端２４は、内面１６から突出しない。
【００７１】
保守点検時のボルト１９の取付け忘れまたはゆるみ等によって口金１２がステップ軸４に固定されていない場合に、持上げ部２１の自由端２４は、内面１６から突出する。持上げ部２１は、口金１２をステップ軸４から自らの弾性力により持上げる。ブラケット１１は、口金１２に追従して持上がる。踏み板８は、ブラケット１１に追従して持上がる。
【００７２】
この際、踏み板８は、傾く。保守員は、踏み板８の傾きによって、ステップ５がステップ軸４への固定されていないことを目視で確認する。
【００７３】
以上に説明したように、本実施の形態に係るエスカレーターのステップは、持上げ部２１を備える。持上げ部２１は、弾性材料からなる。持上げ部２１自体が弾性材料で形成されるので、ステップ５の部品の点数を減らすことができる。持上げ部２１は、より簡易な構造で踏み板８を持上げることができる。
【産業上の利用可能性】
【００７４】
本発明に係るエスカレーターのステップは、ステップをステップ軸から着脱するエスカレーターシステムに適用できる。
【符号の説明】
【００７５】
１  エスカレーター、  ２ａ  上部乗降口、  ２ｂ  下部乗降口、  ３ａ  上部機械室、  ３ｂ  下部機械室、  ４  ステップ軸、  ５  ステップ、  ６  手すり、  ７  制御盤、  ８  踏み板、  ９  軸受、  １０  ライザー、  １１  ブラケット、  １２  口金、  １３  上部口金、  １４  下部口金、  １５  締結穴、  １６  内面、  １７  締結穴、  １８  内面、  １９  ボルト、  ２０  開口、  ２１  持上げ部、  ２２  ねじりバネ、  ２３  固定端、  ２４  自由端、  ２５  接触面、  ２６  締結穴
【図１】
2019159312.tif 000003
【図２】
2019159312.tif 000004
【図３】
2019159312.tif 000005
【図４】
2019159312.tif 000006
【図５】
2019159312.tif 000007
【図６】
2019159312.tif 000008
【図７】
2019159312.tif 000009
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
エスカレーターの運転時に利用者が乗込む平面を有する踏み板と、
前記踏み板の下方に設けられ、前記踏み板をステップ軸に固定する固定部と、
前記固定部の前記ステップ軸に対向する内面から突出しない固定端および前記固定端の反対側の端部である自由端を有し、前記踏み板が前記ステップ軸に固定されている場合に前記内面から前記自由端が突出せず、前記踏み板が前記ステップ軸に固定されていない場合に前記内面の開口から前記自由端が突出することで前記ステップ軸から前記踏み板を持上げて傾ける持上げ部と、
を備えるエスカレーターのステップ。
【請求項２】
前記踏み板が前記ステップ軸に固定されていない場合に前記内面の開口から前記持上げ部の前記自由端を弾性力により突出させる持上げバネ
を備える請求項１に記載のエスカレーターのステップ。
【請求項３】
前記持上げ部は、弾性材料からなる請求項１に記載のエスカレーターのステップ。
【請求項４】
前記持上げ部は、前記踏み板が前記ステップ軸に固定されている場合に前記ステップ軸の表面に沿って接触する接触面を有する請求項１から請求項３のいずれか一項に記載のエスカレーターのステップ。
【請求項５】
前記固定部は、前記ステップ軸に上方から対向する上部固定部を有し、
前記持上げ部は、前記上部固定部に設けられる請求項１から請求項４のいずれか一項に記載のエスカレーターのステップ。
【手続補正２】
【補正対象書類名】明細書
【補正対象項目名】０００６
【補正方法】変更
【補正の内容】
【０００６】
本発明に係るエスカレーターのステップは、エスカレーターの運転時に利用者が乗込む平面を有する踏み板と、踏み板の下方に設けられ踏み板をステップ軸に固定する固定部と、固定部のステップ軸に対向する内面から突出しない固定端および固定端の反対側の端部である自由端を有し、踏み板がステップ軸に固定されている場合に固定部のステップ軸に対向する内面から自由端が突出せず踏み板がステップ軸に固定されていない場合に内面の開口から自由端が突出することでステップ軸から踏み板を持上げて傾ける持上げ部と、を備える。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
エスカレーターの運転時に利用者が乗込む平面を有する踏み板と、
前記踏み板の下方に設けられ、前記踏み板をステップ軸に固定する固定部と、
前記固定部の前記ステップ軸に対向する内面から突出しない固定端および前記固定端の反対側の端部である自由端を有し、前記踏み板が前記ステップ軸に固定されている場合に前記内面から前記自由端が突出せず、前記踏み板が前記ステップ軸に固定されていない場合に前記内面の開口から前記自由端が前記固定部に対して回転して突出することで前記ステップ軸から前記踏み板を持上げて傾ける持上げ部と、
を備えるエスカレーターのステップ。
【請求項２】
前記踏み板が前記ステップ軸に固定されていない場合に前記内面の開口から前記持上げ部の前記自由端を弾性力により突出させる持上げバネ
を備える請求項１に記載のエスカレーターのステップ。
【請求項３】
前記持上げ部は、弾性材料からなる請求項１に記載のエスカレーターのステップ。
【請求項４】
前記持上げ部は、前記踏み板が前記ステップ軸に固定されている場合に前記ステップ軸の表面に沿って接触する接触面を有する請求項１から請求項３のいずれか一項に記載のエスカレーターのステップ。
【請求項５】
前記固定部は、前記ステップ軸に上方から対向する上部固定部を有し、
前記持上げ部は、前記上部固定部に設けられる請求項１から請求項４のいずれか一項に記載のエスカレーターのステップ。
【手続補正２】
【補正対象書類名】明細書
【補正対象項目名】０００６
【補正方法】変更
【補正の内容】
【０００６】
本発明に係るエスカレーターのステップは、エスカレーターの運転時に利用者が乗込む平面を有する踏み板と、踏み板の下方に設けられ踏み板をステップ軸に固定する固定部と、固定部のステップ軸に対向する内面から突出しない固定端および固定端の反対側の端部である自由端を有し、踏み板がステップ軸に固定されている場合に固定部のステップ軸に対向する内面から自由端が突出せず踏み板がステップ軸に固定されていない場合に内面の開口から自由端が固定部に対して回転して突出することでステップ軸から踏み板を持上げて傾ける持上げ部と、を備える。
【国際調査報告】
2019159312.tif 000010
2019159312.tif 000011
2019159312.tif 000012